(57)【要約】      （修正有）【課題】製造、管理、使用などにおいて、種々の利点を呈することができるバスバーを提供する。【解決手段】電子機器の基板上に所定の配置態様で導電性部品として取り付けられ、該基板に対する取付部１１、１３と導電性本体１２とからなる、バスバー１において、導電性本体１２が、上記基板に対して２種類の配置態様を取り得る形態を有しており、取付部１１、１３が、２個設けられており、各取付部１１、１３が、当該取付部１１、１３によって基板に取り付けられる導電性本体１２の配置態様を、それぞれ異ならせるように設けられている。【選択図】図１
2005228516.tif 000002
【特許請求の範囲】
【請求項１】
基板上に所定の配置態様で導電性部品として取り付けられ、基板に対する取付部と導電性本体とからなる、バスバーにおいて、
導電性本体が、基板に対して複数種類の配置態様を取り得る形態を有しており、
取付部が、複数個設けられており、
各取付部が、当該取付部によって基板に取り付けられる導電性本体の配置態様を、それぞれ異ならせるように設けられていることを特徴とするバスバー。
【請求項２】
取付部が２本以上の差込脚からなっている、請求項１記載のバスバー。
【請求項３】
導電性本体が、上下を逆にして取り付けると配置態様が異なることとなる形態を有しており、
取付部が、２個設けられており、
各取付部が、導電性本体の上辺及び下辺にそれぞれ設けられている、請求項１記載のバスバー。
【請求項４】
導電性本体が、一方向に、折れ曲がり又は湾曲した、板体からなり、
各取付部が、板体の対向した、折れ曲がり辺又は湾曲辺に、それぞれ設けられている、請求項３記載のバスバー。
【請求項５】
導電性本体が、複数回、折れ曲がり又は湾曲した、板体からなり、
各取付部が、板体の対向した、折れ曲がり辺又は湾曲辺に、それぞれ設けられている、請求項３記載のバスバー。
【請求項６】
導電性本体が、３つ以上の辺を有する板体からなり、且つ、少なくとも２つの辺の各々を下辺にして基板に取り付けると配置態様がそれぞれ異なることとなる形態を有しており、
取付部が、少なくとも２個設けられており、
各取付部が、少なくとも上記２つの辺のそれぞれに設けられている、請求項１記載のバスバー。
【発明の詳細な説明】
【技術分野】
【０００１】
本発明は、電源装置等の電子機器の基板上に、導電性部品として取り付けられる、バスバー（平型導体単心電線）に関するものである。
【背景技術】
【０００２】
電源装置等の電子回路の配線接続においては、導電性の接続部品の１つとして、バスバーが使用されることがある。例えば、特許文献１には、電子回路にバスバーを用いた例が開示されている。
【特許文献１】特開平１０−１０８３６１号公報
【０００３】
従来一般のバスバー５Ａは、図１６に示すように、基板９に対する取付部５１と、導電性本体５２と、からなっている。導電性本体５２は、板体が一方向に折れ曲がったＬ字型の形態を有しており、長体５２１と短体５２２とからなっており、対向した２つの折れ曲がり辺５２３、５２４を有している。取付部５１は、２本の差込脚５１１、５１２からなっており、導電性本体５２の一方の折れ曲がり辺５２３に設けられている。そして、バスバー５Ａは、差込脚５１１、５１２を基板９の接続孔９１、９２に差し込むことにより、基板９に取り付けられる。
【発明の開示】
【発明が解決しようとする課題】
【０００４】
ところで、バスバーの基板上における配置態様は、他の部品との関係で決まってくる。図１７は基板９に取り付けられたバスバー５Ａの平面図である。即ち、上記構成のバスバー５Ａの基板９上における配置態様は、平面視で図１７に示すように、長体５２１に対して短体５２２が図中にて下側に位置している。しかしながら、他の部品との関係によっては、平面視で図１８に示すように、長体５２１に対して短体５２２が図中にて上側に位置するような配置態様で、バスバーを基板に取り付けたい場合がある。そのような場合には、図１９に示すようなバスバー５Ｂを用意する必要がある。バスバー５Ｂは、２本の差込脚５１１、５１２が導電性本体５２の他方の折れ曲がり辺５２４に設けられている点のみが、バスバー５Ａと異なっている。
【０００５】
従って、上記のような２種類の配置態様が望まれる場合には、２種類のバスバー５Ａ、５Ｂを用意しておく必要があった。そのため、次の（ａ）及び（ｂ）のような不具合があった。
（ａ）バスバーを製造するための金型や治具が２種類必要であった。
（ｂ）バスバーを取扱う工程において、２種類のバスバーを管理する必要があるため、工程管理が面倒であった。
【０００６】
また、バスバー５Ａのみで基板上の回路を作製しようとすると、図１８の配置態様を避けるために、他の部品の配置を検討する必要が生じ、その分、工程数が増えるという不具合もあった。
【０００７】
本発明は、上記のような不具合を解消できるバスバーを提供することを目的とする。
【課題を解決するための手段】
【０００８】
請求項１記載の発明は、基板上に所定の配置態様で導電性部品として取り付けられ、基板に対する取付部と導電性本体とからなる、バスバーにおいて、導電性本体が、基板に対して複数種類の配置態様を取り得る形態を有しており、取付部が、複数個設けられており、各取付部が、当該取付部によって基板に取り付けられる導電性本体の配置態様を、それぞれ異ならせるように設けられていることを特徴としている。
【０００９】
請求項２記載の発明は、請求項１記載の発明において、取付部が２本以上の差込脚からなっているものである。
【００１０】
請求項３記載の発明は、請求項１記載の発明において、導電性本体が、上下を逆にして取り付けると配置態様が異なることとなる形態を有しており、取付部が、２個設けられており、各取付部が、導電性本体の上辺及び下辺にそれぞれ設けられているものである。
【００１１】
請求項４記載の発明は、請求項３記載の発明において、導電性本体が、一方向に、折れ曲がり又は湾曲した、板体からなり、各取付部が、板体の対向した、折れ曲がり辺又は湾曲辺に、それぞれ設けられているものである。
【００１２】
請求項５記載の発明は、請求項３記載の発明において、導電性本体が、複数回、折れ曲がり又は湾曲した、板体からなり、各取付部が、板体の対向した、折れ曲がり辺又は湾曲辺に、それぞれ設けられているものである。
【００１３】
請求項６記載の発明は、請求項１記載の発明において、導電性本体が、３つ以上の辺を有する板体からなり、且つ、少なくとも２つの辺の各々を下辺にして基板に取り付けると配置態様がそれぞれ異なることとなる形態を有しており、取付部が、少なくとも２個設けられており、各取付部が、少なくとも上記２つの辺のそれぞれに設けられているものである。
【発明の効果】
【００１４】
請求項１記載の発明によれば、各取付部毎に、異なった配置態様で導電性本体が基板に取り付けられる。従って、複数種類の配置態様でバスバーを基板に取り付けることが望まれる場合において、請求項１記載の発明によれば、本発明のバスバー自身１種類のみで複数種類の配置態様を提供できるので、次の（１）〜（３）のような利点を呈することができる。
【００１５】
（１）バスバーを製造するのに、１種類の金型や治具を必要とするだけである。従って、本発明のバスバーによれば、金型や治具を削減でき、省資源化を図ることができる。
【００１６】
（２）バスバーを取扱う工程において１種類のバスバーを管理するだけでよい。従って、本発明のバスバーによれば、工程管理を削減できる。
【００１７】
（３）１種類の配置態様しか提供できなかった従来のバスバーに比して、他の部品の配置の自由度を増すことができる。
【００１８】
請求項２記載の発明によれば、基板に対するバスバーの取付状態を安定したものにできる。
【００１９】
請求項３ないし５に記載の発明によれば、本発明のバスバー自身１種類のみで２種類の配置態様を提供できる。
【００２０】
請求項６記載の発明によれば、本発明のバスバー自身１種類のみで複数種類の配置態様を提供できる。
【発明を実施するための最良の形態】
【００２１】
図１は本発明の一実施形態のバスバーを示す斜視図、図２は該バスバーの平面図、図３は図１のIII矢視図、図４は図１のIV矢視図である。本実施形態のバスバー１は、２個の取付部１１、１３と、導電性本体１２と、からなっている。導電性本体１２は、長方形の板体を長手方向の途中で一方向に直角に折り曲げてなるＬ字型の形態を有しており、長体１２１と短体１２２とからなっている。即ち、導電性本体１２は、上下を逆にすると２種類の異なった配置態様を取り得る形態を有している。また、導電性本体１２は、対向し且つ平行な２つの折れ曲がり辺１２３、１２４を有している。取付部１１は、２本の差込脚１１１、１１２からなっており、導電性本体１２の一方の折れ曲がり辺１２３に設けられている。取付部１３は、２本の差込脚１３１、１３２からなっており、導電性本体１２の他方の折れ曲がり辺１２４に設けられている。なお、差込脚１１１、１１２は折れ曲がり辺１２３の両端に設けられており、差込脚１３１、１３２は折れ曲がり辺１２４の両端に設けられており、４つの差込脚１１１、１１２、１３１、１３２は全て同じ形状及び寸法を有している。即ち、差込脚１１１、１１２と、差込脚１３１、１３２とは、導電性本体１２を間において対称的に設けられている。
【００２２】
上記構成のバスバー１は、次のように作製する。即ち、まず、１種類の金型を用いて、板体を、折り曲げる前の状態の導電性本体１２と４つの差込脚１１１、１１２、１３１、１３２とを有する形状に、打ち抜く。そして、得られた導電性本体１２を、１種類の治具を用いて、Ｌ字型に折り曲げる。
【００２３】
上記構成のバスバー１は、取付部１１の差込脚１１１、１１２を基板９の接続孔に差し込むことによって基板９に取り付けると、図５に示すような配置態様となる。即ち、図５に示す配置態様では、長体１２１に対して短体１２２が図中にて手前側に位置している。これに対して、取付部１３の差込脚１３１、１３２を基板９の接続孔に差し込むことによって基板９に取り付けると、図６に示すような配置態様となる。即ち、図６に示す配置態様では、長体１２１に対して短体１２２が図中にて向こう側に位置している。
【００２４】
以上のように、上記構成のバスバー１は、２個の取付部１１、１３を有していることにより、基板９上に取り付けた場合に、図５及び図６に示すような２種類の配置態様を提供できる。従って、次の（１）〜（３）のような利点を呈することができる。
【００２５】
（１）２種類の配置態様を得るために、従来では、２種類のバスバーが必要であったので、バスバーを製造するのに、２種類の金型や治具が必要であった。しかしながら、本実施形態のバスバーは、それ自身１種類のみで２種類の配置態様を提供できるので、バスバーを製造するのに、１種類の金型や治具を必要とするだけである。従って、本実施形態のバスバーによれば、金型や治具を削減でき、省資源化を図ることができる。
【００２６】
（２）２種類の配置態様を得るために、従来では、２種類のバスバーが必要であったので、バスバーを取扱う工程において２種類のバスバーを管理する必要があった。しかしながら、本実施形態のバスバーは、それ自身１種類のみで２種類の配置態様を提供できるので、バスバーを取扱う工程において１種類のバスバーを管理するだけでよい。従って、本実施形態のバスバーによれば、工程管理を削減できる。
【００２７】
（３）従来のバスバーは、１種類の配置態様しか提供できなかったが、本実施形態のバスバーは、２種類の配置態様を提供できる。従って、本実施形態のバスバーによれば、従来のバスバーに比して、他の部品の配置の自由度を増すことができる。
【００２８】
本発明のバスバーは、上記実施形態に限るものではなく、次の（ｉ）〜（ｖ）に示す形態のものでもよい。
【００２９】
（ｉ）図７に示すバスバー１Ａのように、導電性本体１２が、長方形の板体を長手方向の途中で２回折り曲げてなる形態、を有してもよい。取付部１１、１３は、それぞれ折れ曲がり辺１２３、１２４に設けられている。この導電性本体１２も、上下を逆にすると２種類の異なった配置態様をとる。即ち、バスバー１Ａを取付部１１によって基板に取り付けた場合には、配置態様は平面視である図８に示すようになり、バスバー１Ａを取付部１３によって基板に取り付けた場合には、配置態様は平面視である図９に示すようになる。従って、バスバー１Ａによっても、２個の取付部１１、１３を有していることにより、図８及び図９に示すような２種類の配置態様を提供できる。なお、長方形の板体を折り曲げる回数は３回以上でもよい。
【００３０】
（ii）図７に示すバスバー１Ａのように、取付部１１が３本の差込脚１１１、１１２、１１３からなり、取付部１３が３本の差込脚１３１、１３２、１３３からなってもよい。これによれば、差込脚が２本の場合に比して、基板に対するバスバーの取付状態を安定したものにできる。なお、取付部を構成する差込脚は４本以上であってもよく、それによれば、基板に対するバスバーの取付状態を更に安定したものにできる。
【００３１】
（iii）図１０に示すバスバー１Ｂのように、導電性本体１２が、長方形の板体を長手方向の途中で２回湾曲させてなる形態、を有してもよい。取付部１１、１３は、それぞれ湾曲辺１２５、１２６に設けられている。この導電性本体１２も、上下を逆にすると２種類の異なった配置態様をとる。従って、バスバー１Ｂによっても、２個の取付部１１、１３を有していることにより、２種類の配置態様を提供できる。なお、長方形の板体を湾曲させる回数は３回以上でもよい。
【００３２】
（iv）図１１に示すバスバー１Ｃのように、導電性本体１２が、３辺の長さがそれぞれ異なる直角３角形の形態を有し、取付部１５、１７、１９がそれぞれ辺１２７、１２８、１２９に設けられたものでもよい。なお、取付部１５は辺１２７の両端に設けられた差込脚１５１、１５２からなり、取付部１７は辺１２８の両端に設けられた差込脚１７１、１７２からなり、取付部１９は辺１２９の両端に設けられた差込脚１９１、１９２からなっている。この導電性本体１２は、各辺を下辺とすると３種類の異なった配置態様をとる。即ち、バスバー１Ｃを取付部１５によって基板９に取り付けた場合には、配置態様は側面視である図１２に示すようになり、バスバー１Ｃを取付部１７によって基板９に取り付けた場合には、配置態様は側面視である図１３に示すようになり、、バスバー１Ｃを取付部１９によって基板９に取り付けた場合には、配置態様は側面視である図１４に示すようになる。従って、バスバー１Ｃによれば、３個の取付部１５、１７、１９を有していることにより、図１２、図１３、及び図１４に示すような３種類の配置態様を提供できる。なお、取付部は、３辺の内の２辺だけに設けてもよい。また、導電性本体１２は、３角形に限るものではなく、５角形、６角形などの多角形でもよい。
【００３３】
（ｖ）図１５に示すバスバー１Ｄのように、取付部１１と取付部１３とが非対称的に設けられてもよい。ここでは、差込脚１１１と差込脚１１２との間の距離Ｌ１と、差込脚１３１と差込脚１３２との間の距離Ｌ２とが、異なっている。このバスバー１Ｄによれば、配置態様の区別を取付部によって行うことができるので、取り付けの作業性を向上できる。
【産業上の利用可能性】
【００３４】
本発明のバスバーは、それ自身１種類で、複数種類の配置態様を提供できるので、製造、管理、使用などにおいて、種々の利点を呈することができ、産業上の利用価値が大なるものである。
【図面の簡単な説明】
【００３５】
【図１】本発明の一実施形態のバスバーを示す斜視図である。
【図２】図１のバスバーの平面図である。
【図３】図１のIII矢視図である。
【図４】図１のIV矢視図である。
【図５】図１のバスバーが提供する配置態様の一方を示す斜視図である。
【図６】図１のバスバーが提供する配置態様の他方を示す斜視図である。
【図７】本発明のバスバーの別の第１例を示す斜視図である。
【図８】図７のバスバーが提供する配置態様の一方を示す平面図である。
【図９】図７のバスバーが提供する配置態様の他方を示す平面図である。
【図１０】本発明のバスバーの別の第２例を示す斜視図である。
【図１１】本発明のバスバーの別の第３例を示す斜視図である。
【図１２】図１１のバスバーが提供する第１の配置態様を示す側面図である。
【図１３】図１１のバスバーが提供する第２の配置態様を示す側面図である。
【図１４】図１１のバスバーが提供する第３の配置態様を示す側面図である。
【図１５】本発明のバスバーの別の第４例を示す斜視図である。
【図１６】従来のバスバーを取り付ける様子を示す斜視図である。
【図１７】図１６のバスバーが提供する配置態様を示す平面図である。
【図１８】図１６のバスバーでは提供できない配置態様を示す平面図である。
【図１９】図１８の配置態様を提供できる従来のバスバーを示す斜視図である。
【符号の説明】
【００３６】
１、１Ａ、１Ｂ、１Ｃ  バスバー、１１、１３、１５、１７、１９  取付部  １１１、１１２、１１３、１３１、１３２、１３３、１５１、１５２、１７１、１７２、１９１、１９２  差込脚  １２  導電性本体  １２３、１２４  折れ曲がり辺  １２５、１２６  湾曲辺  １２７、１２８、１２９  辺  ９  基板
【図１】
2005228516.tif 000003
【図２】
2005228516.tif 000004
【図３】
2005228516.tif 000005
【図４】
2005228516.tif 000006
【図５】
2005228516.tif 000007
【図６】
2005228516.tif 000008
【図７】
2005228516.tif 000009
【図８】
2005228516.tif 000010
【図９】
2005228516.tif 000011
【図１０】
2005228516.tif 000012
【図１１】
2005228516.tif 000013
【図１２】
2005228516.tif 000014
【図１３】
2005228516.tif 000015
【図１４】
2005228516.tif 000016
【図１５】
2005228516.tif 000017
【図１６】
2005228516.tif 000018
【図１７】
2005228516.tif 000019
【図１８】
2005228516.tif 000020
【図１９】
2005228516.tif 000021